(57)【要約】【課題】大型化した場合にも血圧値を高精度に測定することが可能でかつ安価に製作することができる血圧計用カフを提供する。【解決手段】血圧計用カフ１００Ａは、空気袋１５０を内包する外装カバー１１０と、外装カバー１１０に設けられたリング１６０と、外装カバー１１０の外側カバー部材１２０の外表面に固定されたループファスナ１４１，フックファスナ１４２からなる面ファスナとを備える。ループファスナ１４１は、平面視した場合に、その周縁に沿って縁取るように外側カバー部材１２０に縫合された周縁縫合部としての縫合ライン１４５ａと、当該周縁縫合部としての縫合ライン１４５ａの内側の部分において外側カバー部材１２０に縫合された内側縫合部としての縫合ライン１４５ｂとによって外側カバー部材１２０に固定される。【選択図】図２
0003174209.tif 000002
【実用新案登録請求の範囲】
【請求項１】
被装着部位に巻き付けられた装着状態において環状の形態をとる血圧情報測定装置用カフであって、
流体が出入りすることによって膨縮する流体袋と、
前記流体袋を内包する袋状の外装カバーと、
前記外装カバーの長手方向の一端部に設けられ、前記外装カバーの長手方向の他端部が挿通されることで前記外装カバーの前記他端部寄りの部分を前記外装カバーの環状の部分の周方向に沿って折り返し可能にする引っ掛け部材と、
前記外装カバーの前記引っ掛け部材によって折り返された部分と前記外装カバーの環状の部分とを固定可能にする固定手段とを備え、
前記外装カバーは、前記装着状態において前記流体袋よりも内側に位置する内側カバー部材と、前記装着状態において前記流体袋よりも外側に位置する外側カバー部材とを有し、
前記固定手段は、前記外装カバーの環状の部分における前記外側カバー部材の表面を少なくとも覆うように設けられたループファスナと、前記外装カバーの前記引っ掛け部材によって折り返された部分における前記外側カバー部材の表面を覆うように設けられたフックファスナとからなる面ファスナにて構成され、
前記ループファスナが、平面視した場合に、その周縁に沿って縁取るように前記外側カバー部材に縫合された周縁縫合部と、前記周縁縫合部の内側の部分において前記外側カバー部材に縫合された内側縫合部とによって前記外側カバー部材に固定されている、血圧情報測定装置用カフ。
【請求項２】
前記内側縫合部が、前記流体袋の長手方向に沿って直線状に延びるように互いに並走して設けられた複数の縫合部によって構成されている、請求項１に記載の血圧情報測定装置用カフ。
【請求項３】
請求項１または２に記載の血圧情報測定装置用カフと、
前記流体袋を加減圧するための加減圧機構と、
前記加減圧機構にて加減圧された前記流体袋の内圧変動に基づいて血圧情報を取得する血圧情報取得部とを備えた、血圧情報測定装置。
【考案の詳細な説明】
【技術分野】
【０００１】
本考案は、血圧情報測定装置用カフおよびこれを備えた血圧情報測定装置に関し、特に、生体を圧迫するための流体袋を内包する外装カバーと当該外装カバーに設けられた固定手段としての面ファスナとを備えた血圧情報測定装置用カフおよびこれを備えた血圧情報測定装置に関する。
【背景技術】
【０００２】
血圧情報を測定することは、被験者の健康状態を知る上で非常に重要なことである。近年においては、従来から健康管理の代表的な指標として広くその有用性が認められている収縮期血圧値（以下、最高血圧）、拡張期血圧値（以下、最低血圧）等を測定することに限られず、脈波を測定することによって心臓負荷や動脈硬化度等を捉える試みがなされている。
【０００３】
血圧情報測定装置は、測定した血圧情報に基づいてこれら健康管理のための指標を得るための装置であり、循環器系疾患の早期発見や予防、治療等の分野においてさらなる活用が期待されている。なお、血圧情報には、最高血圧、最低血圧、平均血圧、脈波、脈拍、動脈硬化度を示す各種指標等、循環器系の種々の情報が広く含まれる。
【０００４】
一般に、血圧情報の測定には、血圧情報測定装置用カフ（以下、単にカフとも称する）が利用される。ここで、カフとは、内空を有する流体袋を含む帯状または環状の構造物であって身体の一部に装着が可能なものを意味し、気体や液体等の流体を上記内空に注入することによって流体袋を膨張および収縮させて血圧情報の測定に利用されるもののことを指す。なお、カフは、腕帯あるいはマンシェットとも呼ばれる。
【０００５】
通常、カフは、生体を圧迫するための平面視略矩形状の空気袋と、これを内包する帯状の外装カバーとによって構成される。また、外装カバーには、カフが被験者の被装着部位に巻き付けられた状態においてこれを維持するための固定手段が設けられる。当該固定手段としては、ループファスナおよびフックファスナからなる面ファスナが利用されることが一般的である。
【０００６】
外装カバーに面ファスナが設けられたカフが開示された文献としては、たとえば特開２００７−２７５４８３号公報（特許文献１）や、特開２０１０−２５２８３６号公報（特許文献２）等がある。これら特許文献１および２に開示のカフにあっては、外装カバーのうちの、装着状態において空気袋よりも外側に位置することとなる外側カバー部材自体をループファスナにて構成することとし、当該ループファスナからなる外側カバー部材の外表面上の所定位置にフックファスナを重ねあわせてその周縁を外側カバー部材に対して縫合または溶着等することによって接合する構成とされている。
【先行技術文献】
【特許文献】
【０００７】
【特許文献１】特開２００７−２７５４８３号公報
【特許文献２】特開２０１０−２５２８３６号公報
【考案の概要】
【考案が解決しようとする課題】
【０００８】
ところで、被装着部位である上腕や手首等の周囲長には、大きな個人差があるため、より多くの人が利用できるカフとするためには、周囲長の異なる被装着部位に対してより広くカフが適正に装着可能となるようにカフを大型に構成することが必要になる。また、近年においては、日本人の体型の大型化も進んでおり、また概して体型が日本人よりも大きい欧米人等、外国人の使用をも考慮に入れれば、カフを大型化させることが必要となっている。
【０００９】
ここで、カフを大型化した場合には、これに応じて面ファスナ（特にループファスナ）も大型化することになる。ループファスナは、外装カバーを構成する布地として通常利用されるポリエステル繊維等からなる織物よりも高価であるため、仮に上記特許文献１および２に開示の如く、外装カバーの外側カバー部材自体をループファスナにて構成した場合には、製造コストが大幅に圧迫されてしまうことが避けられない。
【００１０】
そのため、製造コストの増加を抑制するためには、外装カバーの外側カバー部材を通常のポリエステル繊維等からなる織物にて構成し、当該外側カバー部材の外表面に必要な大きさのループファスナを重ね合わせてその周縁を外側カバー部材に対して縫合することで固定する構成とすることが好ましい。
【００１１】
しかしながら、当該構成を採用した場合にも、カフを大型化した場合には、上述したようにループファスナが少なからず大型化することになってしまい、その分だけ測定時において空気袋の膨張に伴ってループファスナと外側カバー部材との間にずれが生じ易くなることとなってしまう。このループファスナと外側カバー部材との間のずれが生じた場合には、これが振動となって空気袋の内圧に伝播することになり、ノイズとなって測定結果に重畳することで高精度の測定の妨げとなってしまう問題がある。
【００１２】
したがって、本考案は、上述した問題点を解決すべくなされたものであり、大型化した場合にも血圧情報を高精度に測定することが可能でかつ安価に製作することができる血圧情報測定装置用カフおよびこれを備えた血圧情報測定装置を提供することを目的とする。
【課題を解決するための手段】
【００１３】
本考案に基づいた血圧情報測定装置用カフは、被装着部位に巻き付けられた装着状態において環状の形態をとるものであって、流体が出入りすることによって膨縮する流体袋と、上記流体袋を内包する袋状の外装カバーと、上記外装カバーの長手方向の一端部に設けられ、上記外装カバーの長手方向の他端部が挿通されることで上記外装カバーの上記他端部寄りの部分を上記外装カバーの環状の部分の周方向に沿って折り返し可能にする引っ掛け部材と、上記外装カバーの上記引っ掛け部材によって折り返された部分と上記外装カバーの環状の部分とを固定可能にする固定手段とを備えている。上記外装カバーは、上記装着状態において上記流体袋よりも内側に位置する内側カバー部材と、上記装着状態において上記流体袋よりも外側に位置する外側カバー部材とを有している。上記固定手段は、上記外装カバーの環状の部分における上記外側カバー部材の表面を少なくとも覆うように設けられたループファスナと、上記外装カバーの上記引っ掛け部材によって折り返された部分における上記外側カバー部材の表面を覆うように設けられたフックファスナとからなる面ファスナにて構成されている。上記ループファスナは、平面視した場合に、その周縁に沿って縁取るように上記外側カバー部材に縫合された周縁縫合部と、上記周縁縫合部の内側の部分において上記外側カバー部材に縫合された内側縫合部とによって上記外側カバー部材に固定されている。
【００１４】
上記本考案に基づいた血圧情報測定装置用カフにあっては、上記内側縫合部が、上記流体袋の長手方向に沿って直線状に延びるように互いに並走して設けられた複数の縫合部によって構成されていることが好ましい。
【００１５】
本考案に基づいた血圧情報測定装置は、上記本考案に基づいた血圧情報測定装置用カフと、上記流体袋を加減圧するための加減圧機構と、上記加減圧機構にて加減圧された上記流体袋の内圧変動に基づいて血圧情報を取得する血圧情報取得部とを備えている。
【考案の効果】
【００１６】
本考案によれば、大型化した場合にも血圧情報を高精度に測定することが可能でかつ安価に製作することができる血圧情報測定装置用カフおよびこれを備えた血圧情報測定装置とすることができる。
【図面の簡単な説明】
【００１７】
【図１】本考案の実施の形態における血圧計の斜視図である。
【図２】本考案の実施の形態におけるカフの外周面側から見た場合の展開図である。
【図３】本考案の実施の形態におけるカフを短手方向に沿って切断した場合の模式断面図である。
【図４】本考案の実施の形態におけるカフを長手方向に沿って切断した場合の模式断面図である。
【図５】本考案の実施の形態における血圧計の機能ブロックの構成を示す図である。
【図６】本考案の実施の形態における血圧計の測定動作の流れを示す図である。
【図７】第１変形例に係るカフの外周面側から見た場合の展開図である。
【図８】第２変形例に係るカフの外周面側から見た場合の展開図である。
【図９】第３変形例に係るカフの外周面側から見た場合の展開図である。
【考案を実施するための形態】
【００１８】
以下、本考案の実施の形態について、図を参照して詳細に説明する。以下に示す実施の形態においては、血圧情報測定装置およびこれに具備された血圧情報測定装置用カフとして、最高血圧および最低血圧等の血圧値を測定することが可能に構成された上腕式の血圧計およびこれに具備された血圧計用カフを例示して説明を行なう。なお、以下においては、同一のまたは共通する部分について図中同一の符号を付し、その説明は繰り返さない。
【００１９】
図１は、本考案の実施の形態における血圧計の斜視図であり、図２は、本実施の形態におけるカフの外周面側から見た場合の展開図である。また、図３は、本実施の形態におけるカフを短手方向に沿って切断した場合の模式断面図であり、図４は、本実施の形態におけるカフを長手方向に沿って切断した場合の模式断面図である。ここで、図３において示すカフの断面は、図２中に示すＩＩＩ−ＩＩＩ線に沿ったものである。まず、これら図１ないし図４を参照して、本実施の形態における血圧計１の概略的な構成およびこれに具備されたカフ１００Ａの詳細な構造について説明する。
【００２０】
図１に示すように、血圧計１は、本体１０と、カフ１００Ａと、エア管４０とを主として備えている。このうち、エア管４０は、分離されて構成された本体１０とカフ１００Ａとを接続しており、たとえば可撓性を有する樹脂製のチューブにて構成されている。
【００２１】
本体１０は、箱状のケーシング１１を有しており、その上面に表示部２１および操作部２３が設けられている。本体１０は、測定時においてテーブル等の載置面に載置されて使用されるものである。
【００２２】
カフ１００Ａは、被装着部位としての上腕に巻き付けが可能な帯状の形態を有しており、外装カバー１１０によって覆われている。カフ１００Ａは、測定時において上腕に装着されて使用されるものであり、上腕に巻き付けられた装着状態において環状の形態をとる。
【００２３】
図１ないし図４に示すように、カフ１００Ａは、上述した外装カバー１１０と、流体袋としての空気袋１５０と、引っ掛け部材としてのリング１６０と、固定手段としての面ファスナ１４１，１４２とを主として有している。
【００２４】
外装カバー１１０は、平面視略矩形状の帯状かつ袋状の形状を有しており、装着状態において径方向外側に位置することとなる外側カバー部材１２０と、装着状態において径方向内側に位置して上腕の表面に接触することとなる内側カバー部材１３０とを含んでいる。外装カバー１１０は、外側カバー部材１２０と内側カバー部材１３０とが重ね合わされてそれらの周縁がバイアステープ１４０によって覆われた状態で接合（たとえば縫合や溶着等）されることで袋状に形成されている。
【００２５】
外装カバー１１０のうち、外側カバー部材１２０としては、空気袋１５０が径方向外側に向かって膨張することを抑制するために、内側カバー部材１３０に比して伸縮性に乏しい部材が利用される。一方、外装カバー１１０のうち、内側カバー部材１３０としては、空気袋１５０の膨張によって上腕に加えられる圧迫力が当該内側カバー部材１３０によって阻害されないように、十分に伸縮性に富んだ部材が好適に利用される。このような観点から、外装カバー１１０としては、伸縮性の大小を比較的容易に調整することができるポリアミド、ポリエステル等の合成繊維からなる布地等が利用される。
【００２６】
図２ないし図４に示すように、外側カバー部材１２０および内側カバー部材１３０によって規定される外装カバー１１０の内部の空間には、上述した空気袋１５０が収容されている。空気袋１５０は、平面視略矩形状の形状を有しており、その長手方向がカフ１００Ａの長手方向に沿って配置されるように外装カバー１１０に内包されている。空気袋１５０は、外装カバー１１０の長手方向の一端部寄りの位置に偏在して配置されている。空気袋１５０は、好適には樹脂シートを用いて形成された袋状の部材にて構成され、内部に膨縮空間を有している。
【００２７】
図１および図２に示すように、装着状態において径方向外側に位置することとなる空気袋１５０の外表面には、ニップル１５１が取付けられている。ニップル１５１には、上述したエア管４０が接続されている。これにより、エア管４０を介して膨縮空間に空気が供給されることにより空気袋１５０が膨張し、エア管４０を介して膨縮空間から空気が排出されることにより空気袋１５０が収縮する。
【００２８】
空気袋１５０を構成する樹脂シートの材質としては、伸縮性に富んでおり上述した膨縮空間からの漏気がないものであればどのようなものでも利用可能である。このような観点から、樹脂シートの好適な材質としては、エチレン−酢酸ビニル共重合体、軟質塩化ビニル、ポリウレタン、ポリアミド等が挙げられる。
【００２９】
図１、図２および図４に示すように、カフ１００Ａの長手方向の一端部寄りの部分には、リング１６０が取付けられている。より具体的には、リング１６０は、リング固定布１４３を用いて外装カバー１１０の外側カバー部材１２０の外表面のうちの上記一端部寄りの部分に取付けられている。リング固定布１４３は、リング１６０の一部を覆うように巻き付けられた状態でその一部が外側カバー部材１２０に接合（たとえば縫合や溶着等）されることにより、リング１６０を外装カバー１１０に固定している。
【００３０】
図４に示すように、リング１６０は、カフ１００Ａの上腕への巻き付け固定の際に補助具として機能するものであり、外装カバー１１０のリング１６０が取付けられていない方の端部である他端部寄りの部分がこのリング１６０に挿入されることで引っ掛けられて折り返されることにより、カフ１００Ａの上腕への巻き付けを可能にしている。
【００３１】
また、図１ないし図４に示すように、装着状態において径方向外側に位置することとなるカフ１００Ａの外表面には、面ファスナとしてのループファスナ１４１およびフックファスナ１４２が取付けられている。より具体的には、ループファスナ１４１およびフックファスナ１４２は、外装カバー１１０の外側カバー部材１２０の外表面に縫合されることによって固定されている。
【００３２】
ここで、ループファスナ１４１およびフックファスナ１４２は、いずれも平面視略矩形状の形状を有しており、カフ１００Ａの長手方向に沿って並んで設けられている。より詳細には、ループファスナ１４１は、カフ１００Ａの長手方向の上記一端部寄りの部分から上記他端部寄りの部分の近傍にまで達するように設けられており、フックファスナ１４２は、カフ１００Ａの長手方向の上記他端部寄りの部分に設けられている。
【００３３】
ループファスナ１４１が設けられたカフ１００Ａの長手方向の上記一端部寄りの部分から上記他端部寄りの部分の近傍にまで達する領域は、装着状態においてカフ１００Ａの環状の部分となる領域であり、フックファスナ１４２が設けられたカフ１００Ａの長手方向の上記他端部寄りの部分を含む領域は、装着状態においてカフ１００Ａのリング１６０によって折り返された部分となる領域である。なお、ループファスナ１４１は、フックファスナ１４２に比較して、カフ１００Ａの長手方向に沿って大型の形状を有している。
【００３４】
ループファスナ１４１およびフックファスナ１４２は、上腕に巻き付けられた外装カバー１１０を固定することでカフ１００Ａが上腕に対して巻き付けられた状態を維持するためのものである。すなわち、外装カバー１１０の上記他端部がリング１６０に挿入されて折り返されることにより、上述したループファスナ１４１およびフックファスナ１４２が対面することになるため、当該状態においてこれらループファスナ１４１およびフックファスナ１４２を係合させることにより、カフ１００Ａの環状の形態が維持されてカフ１００Ａが上腕に対して固定されることになる。
【００３５】
なお、本実施の形態におけるカフ１００Ａは、外側カバー部材１２０、内側カバー部材１３０、面ファスナ１４１，１４２およびリング固定布１４３の接合が、いずれも縫合によって行なわれた場合を示すものであり、図２においては、当該縫合によって形成されることとなる縫合ラインを符号１４５，１４５ａ，１４５ｂにて示されるラインによって表わしている。
【００３６】
ここで、本実施の形態におけるカフ１００Ａにあっては、図１および図２に示すように、ループファスナ１４１が、外側カバー部材１２０の外表面上の所定位置に重ね合わされて配置されるとともに、これを平面視した場合に、その周縁に沿って縁取るように外側カバー部材１２０に縫合された周縁縫合部としての縫合ライン１４５ａと、当該周縁縫合部としての縫合ライン１４５ａの内側の部分において外側カバー部材１２０に縫合された内側縫合部としての縫合ライン１４５ｂとによって外側カバー部材１２０に固定されている。また、内側縫合部としての縫合ライン１４５ｂは、空気袋１５０の長手方向に沿って直線状に延びるように互いに並走して３本設けられている。
【００３７】
このように構成することにより、ループファスナ１４１がその周縁において外側カバー部材１２０に固定されるのみならず、平面視した場合における内側の部分においても外側カバー部材１２０に固定されることになるため、ループファスナ１４１が外側カバー部材１２０により密着した状態が維持されることになる。そのため、測定時において、空気袋１５０の膨張に伴ってループファスナ１４１と外側カバー部材１２０との間にずれが生じ難くなることになり、ループファスナ１４１と外側カバー部材１２０との間にずれが生じてこれが振動となって空気袋１５０の内圧に伝播することが抑制できることになる。したがって、高精度に血圧値を測定することが可能になる。
【００３８】
図５は、本実施の形態における血圧計の機能ブロックの構成を示す図である。次に、この図５を参照して、本実施の形態における血圧計１の機能ブロックの構成について説明する。
【００３９】
図５に示すように、本体１０は、上述した表示部２１および操作部２３に加え、制御部２０と、メモリ部２２と、電源部２４と、加圧ポンプ３１と、排気弁３２と、圧力センサ３３と、加圧ポンプ駆動回路３４と、排気弁駆動回路３５と、発振回路３６とを有している。加圧ポンプ３１、排気弁３２および圧力センサ３３は、血圧計１に具備されるエア系コンポーネント３０に相当し、上述したエア管４０を介して空気袋１５０に接続されている。このうち、加圧ポンプ３１および排気弁３２は、空気袋１５０を加減圧するための加減圧機構に相当する。
【００４０】
制御部２０は、たとえばＣＰＵ（Central Processing Unit）にて構成され、血圧計１の全体を制御するための手段である。メモリ部２２は、たとえばＲＯＭ（Read-Only Memory）やＲＡＭ（Random-Access Memory）にて構成され、血圧値測定のための処理手順を制御部２０等に実行させるためのプログラムを記憶したり、測定結果等を記憶したりするための手段である。
【００４１】
表示部２１は、たとえばＬＣＤ（Liquid Crystal Display）にて構成され、測定結果等を表示するための手段である。操作部２３は、使用者等による操作を受付けてこの外部からの命令を制御部２０や電源部２４に入力するための手段である。電源部２４は、制御部２０に電力を供給するための手段である。
【００４２】
制御部２０は、加圧ポンプ３１および排気弁３２を駆動するための制御信号を加圧ポンプ駆動回路３４および排気弁駆動回路３５にそれぞれ入力したり、測定結果としての血圧値をメモリ部２２や表示部２１に入力したりする。また、制御部２０は、圧力センサ３３によって検出された圧力値に基づいて被験者の血圧値を取得する血圧情報取得部（不図示）を含んでおり、この血圧情報取得部によって取得された血圧値が、測定結果として上述したメモリ部２２や表示部２１に入力される。
【００４３】
なお、血圧計１は、測定結果としての血圧値を外部の機器（たとえばＰＣ（Personal Computer）やプリンタ等）に出力する出力部を別途有していてもよい。出力部としては、たとえばシリアル通信回線や各種の記録媒体への書き込み装置等が利用可能である。
【００４４】
加圧ポンプ駆動回路３４は、制御部２０から入力された制御信号に基づいて加圧ポンプ３１の動作を制御する。加圧ポンプ３１は、空気袋１５０の膨縮空間に空気を供給することにより空気袋１５０の内圧（以下、「カフ圧」とも称する）を加圧するためのものであり、その動作が上述した加圧ポンプ駆動回路３４によって制御される。
【００４５】
排気弁駆動回路３５は、制御部２０から入力された制御信号に基づいて排気弁３２の開閉動作を制御する。排気弁３２は、空気袋１５０の内圧を維持したり、空気袋１５０の膨縮空間を外部に開放してカフ圧を減圧したりするためのものであり、その動作が上述した排気弁駆動回路３５によって制御される。
【００４６】
圧力センサ３３は、静電容量型のセンサであり、空気袋１５０の内圧に応じてその静電容量が変化する。発振回路３６は、圧力センサ３３の静電容量に応じた発振周波数の信号を生成し、生成した信号を制御部２０に入力する。
【００４７】
図６は、本実施の形態における血圧計の測定動作の流れを示す図である。次に、この図６を参照して、本実施の形態における血圧計１の測定動作の流れについて説明する。なお、図６に示すフローチャートに従うプログラムは、上述したメモリ部２２に予め記憶されており、制御部２０がメモリ部２２からこのプログラムを読み出して実行することにより、その処理が実行されるものである。
【００４８】
血圧値を測定するに際しては、カフ１００Ａが予め被験者の上腕に巻き付けられて装着される。この状態において、本体１０に設けられた操作部２３が操作されて血圧計１の電源がオンにされると、制御部２０に対して電源部２４から電力が供給されて制御部２０が駆動する。図６に示すように、制御部２０は、その駆動後において、まず血圧計１の初期化を行なう（ステップＳ１）。
【００４９】
次に、制御部２０は、測定開始の指示を待ち、操作部２３が操作されて測定開始の指示が入力されると、排気弁３２を閉塞させるとともに加圧ポンプ３１の駆動を開始し、空気袋１５０のカフ圧を徐々に上昇させる（ステップＳ２）。
【００５０】
この空気袋１５０を加圧する過程において、制御部２０は、公知の手順で最高血圧および最低血圧を算出する（ステップＳ３）。具体的には、制御部２０は、空気袋１５０のカフ圧を上昇させる過程において発振回路３６から得られる発振周波数よりカフ圧を取得し、取得したカフ圧に重畳した脈波情報を抽出する。そして、制御部２０は、抽出された脈波情報に基づいて上記血圧値を算出する。
【００５１】
ステップＳ３において血圧値が算出されると、制御部２０は、加圧ポンプ３１の駆動を停止するとともに排気弁３２を開放することで空気袋１５０内の空気を完全に排気し（ステップＳ４）、測定結果としての血圧値を表示部２１に表示するとともに、当該血圧値をメモリ部２２に格納する（ステップＳ５）。
【００５２】
その後、制御部２０は、電源オフの指令を待ってその動作を終了する。なお、以上において説明した測定方式は、空気袋１５０の加圧時に脈波を検出するいわゆる加圧測定方式に基づいたものであるが、空気袋１５０の減圧時に脈波を検出するいわゆる減圧測定方式を採用することも当然に可能である。
【００５３】
以上において説明した本実施の形態における血圧計用カフ１００Ａおよびこれを備えた血圧計１とすることにより、上述したように、ループファスナ１４１が外側カバー部材１２０により密着した状態が維持できるようになる。そのため、測定時において、空気袋１５０の膨張に伴ってループファスナ１４１と外側カバー部材１２０との間にずれが生じてしまうことが抑制できることになり、高精度に血圧値を測定することが可能になる。
【００５４】
また、本実施の形態における血圧計用カフ１００Ａおよびこれを備えた血圧計１においては、外装カバー１１０の外側カバー部材１２０を比較的安価なポリアミド、ポリエステル等の合成繊維からなる布地等にて構成するとともに、当該外側カバー部材１２０の外表面上の所定位置に必要な大きさのループファスナ１４１を重ね合わせて縫合することによってこれを固定する構成としているため、カフ１００Ａの大型化に伴う製造コストの増加についても、これを抑制することを可能にしている。
【００５５】
したがって、本実施の形態における血圧計用カフ１００Ａおよびこれを備えた血圧計１とすることにより、大型化した場合にも血圧値を高精度に測定することが可能でかつ安価に製作することができる血圧計用カフおよびこれを備えた血圧計とすることができる。
【００５６】
図７ないし図９は、本実施の形態に基づいた第１ないし第３変形例に係るカフの外周面側から見た場合の展開図である。以下、これら図７ないし図９を参照して、本実施の形態に基づいた第１ないし第３変形例に係るカフ１００Ｂ〜１００Ｄについて説明する。
【００５７】
図７に示すように、第１変形例に係るカフ１００Ｂにあっては、ループファスナ１４１を外側カバー部材１２０に固定するための内側縫合部が、空気袋１５０の短手方向に沿って直線状に延びるように互いに並走して設けられた７本の縫合ライン１４５ｂによって構成されている。
【００５８】
図８に示すように、第２変形例に係るカフ１００Ｃにあっては、ループファスナ１４１を外側カバー部材１２０に固定するための内側縫合部が、空気袋１５０の短手方向に沿って直線状に延びるように互いに並走して設けられた２本の縫合ライン１４５ｂと、これら２本の縫合ライン１４５ｂおよび周縁縫合部としての縫合ライン１４５ａによって区切られた平面視略矩形状の３つの領域の対角を結ぶように交差して設けられた合計６本の縫合ライン１４５ｂとによって構成されている。
【００５９】
図９に示すように、第３変形例に係るカフ１００Ｄにあっては、ループファスナ１４１を外側カバー部材１２０に固定するための内側縫合部が、周縁縫合部としての縫合ライン１４５ａと略相似形でかつ略同心の大きさの異なる平面視略矩形状に設けられた２つの縫合ライン１４５ｂによって構成されている。
【００６０】
これら第１ないし第３変形例に係るカフ１００Ｂ〜１００Ｄとした場合にも、上述した実施の形態におけるカフ１００Ａとした場合と同様に、ループファスナ１４１を外側カバー部材１２０に対してより密着させた状態とすることができる。したがって、これら第１ないし第３変形例に係るカフ１００Ｂ〜１００Ｄおよびこれを備えた血圧計とした場合にも、上述した実施の形態において説明した効果と同様の効果を得ることができる。
【００６１】
以上において説明した本考案の実施の形態およびその変形例においては、ループファスナ１４１を外側カバー部材１２０に固定するための内側縫合部として、各種の形状を有するように設けられた縫合ライン１４５ｂにてこれを構成するようにした場合を具体的に例示して説明を行なったが、内側縫合部としての縫合ライン１４５ｂの形状や数、配設位置等は、当然にこれに限定されるものではない。すなわち、ループファスナ１４１を平面視した場合に、周縁縫合部の内側に内側縫合部が位置していれば、当該内側縫合部の形状や数、配設位置等は、どのように構成することとしてよい。
【００６２】
また、上述した本考案の実施の形態およびその変形例においては、ループファスナが平面視略矩形状の形状を有している場合を例示して説明を行なったが、ループファスナの形状もこれに限られるものではなく、そのような形状であってもよい。
【００６３】
また、上述した本考案の実施の形態およびその変形例においては、被装着部位として上腕が採用された上腕式血圧計およびこれに具備される血圧計用カフに本考案を適用した場合を例示して説明を行なったが、本考案は、手首式血圧計や足式血圧計およびこれらに具備される血圧計用カフにも当然にその適用が可能である。
【００６４】
さらには、上述した本考案の実施の形態およびその変形例においては、最高血圧および最低血圧が測定可能な血圧計およびこれに具備される血圧計用カフに本考案を適用した場合を例示して説明を行なったが、最高血圧および最低血圧以外の他の血圧情報（たとえば、平均血圧値、脈波、脈拍、ＡＩ（Augmentation Index）値等）が測定可能な血圧情報測定装置およびこれに具備される血圧情報測定装置用カフに本考案を適用することも当然に可能である。
【００６５】
このように、今回開示した上記各実施の形態はすべての点で例示であって、制限的なものではない。本考案の技術的範囲は実用新案登録請求の範囲によって画定され、また実用新案登録請求の範囲の記載と均等の意味および範囲内でのすべての変更を含むものである。
【符号の説明】
【００６６】
１  血圧計、１０  本体、１１  ケーシング、２０  制御部、２１  表示部、２２  メモリ部、２３  操作部、２４  電源部、３０  エア系コンポーネント、３１  加圧ポンプ、３２  排気弁、３３  圧力センサ、３４  加圧ポンプ駆動回路、３５  排気弁駆動回路、３６  発振回路、４０  エア管、１００Ａ〜１００Ｄ  カフ、１１０  外装カバー、１２０  外側カバー部材、１３０  内側カバー部材、１４０  バイアステープ、１４１  面ファスナ（ループファスナ）、１４２  面ファスナ（フックファスナ）、１４３  リング固定布、１４５，１４５ａ，１４５ｂ  縫合ライン、１５０  空気袋、１５１  ニップル、１６０  リング。
【図１】
0003174209.tif 000003
【図２】
0003174209.tif 000004
【図３】
0003174209.tif 000005
【図４】
0003174209.tif 000006
【図５】
0003174209.tif 000007
【図６】
0003174209.tif 000008
【図７】
0003174209.tif 000009
【図８】
0003174209.tif 000010
【図９】
0003174209.tif 000011